(57)【要約】【課題】原稿画像面がマーカー等による汚れを付けることなく，部分編集すべき領域を簡単に指定することのできる画像形成装置を提供する。【解決手段】原稿の両面を読み込む両面読込手段と，部分編集処理の実行と，編集の内容とを指示する部分編集処理指示手段と，上記部分編集処理指示手段によって部分編集処理の実行が指示された時，上記両面読込手段によって読み込まれた裏面原稿の画像から，表面原稿についての部分編集すべき領域を判別し，判別された裏面の領域に対応する表面原稿の領域内の画像について前記部分編集処理手段によって指示された編集内容に従った画像編集を実行し，編集後の画像について出力処理を実行する部分編集実行出力手段と，を備えてなることを特徴とする画像形成装置。【選択図】図２
2008166985.tif 000002
【特許請求の範囲】
【請求項１】
原稿の両面を読み込む両面読込手段と，
部分編集処理の実行と，編集の内容とを指示する部分編集処理指示手段と，
上記部分編集処理指示手段によって部分編集処理の実行が指示された時，上記両面読込手段によって読み込まれた裏面原稿の画像から，表面原稿についての部分編集すべき領域を判別し，判別された裏面の領域に対応する表面原稿の領域内の画像について前記部分編集処理手段によって指示された編集内容に従った画像編集を実行し，編集後の画像について出力処理を実行する部分編集実行出力手段と，
を備えてなることを特徴とする画像形成装置。
【請求項２】
前記両面読込手段が，表面原稿を読み込む表面原稿読込センサと，裏面原稿を読み込む裏面原稿読込センサとの２つの原稿読込センサを備えて構成されてなる請求項１に記載の画像形成装置。
【請求項３】
前記両面読込手段が，１枚の原稿についての表面と裏面の両方を１つのセンサにより読み込む両面原稿読込センサを備えて構成されてなる請求項１に記載の画像形成装置。
【請求項４】
前記部分編集実行手段が実行する出力処理の内容を指示する出力内容指示手段を更に備えてなる請求項１〜３のいずれかに記載の画像形成装置。
【請求項５】
前記部分編集実行出力手段が行う部分編集すべき領域の判別が，マーカー領域の判別，所定のテープの貼付部分の判別，罫線の判別のいずれか１つである請求項１〜４のいずれかに記載の画像形成装置。
【発明の詳細な説明】
【技術分野】
【０００１】
本発明は原稿の一部について画像編集を行う機能を備えた画像形成装置に係り，特に編集すべき領域の指定手法について改良を加えた画像形成装置に関するものである。
【背景技術】
【０００２】
原稿画像の一部について削除したり，色や濃度を変えたりする部分画像編集処理の必要性は高いものがあり，種々の改良がなされている。
例えば，特許文献１では，操作者が，原稿画像中の編集処理を施したい領域を予めマーカーで囲っておく。また操作者は，画像形成装置に，上記マーカーで囲まれた画像領域に施すべき画像処理の種類，例えば，その領域の画像を白地にする（マスキング），画像や文字の濃度や色を変換する，左右あるいは上下反転させる，等を設定しておく。このように部分編集すべき領域の設定された原稿が供給された画像形成装置では，上記マーカーで部分を含む全領域についての原稿を読み込む。そして画像形成装置は，読み込んだデータからマーカーを判別すると共に，マーカーで囲まれた領域に予め指定された種類の編集処理を施し，画像を印刷出力する。
【特許文献１】特開平８−３０７６５１号公報
【発明の開示】
【発明が解決しようとする課題】
【０００３】
上記した特許文献１に開示された部分編集処理が可能な画像形成装置では，マーカーで囲むといった簡単な処理によって編集すべき領域を指定することができ，それによって指定された領域についての編集処理が自動的に行われるものであるため，操作者の作業負担を著しく軽減するものである。
しかしながら，この技術では，美しく保たれるべき原稿表面自体に，比較的薄い色であるとは言いながらもマーカーによって囲み印を付けるものであるため，原稿が確実に損傷することは否定できない。できれば原稿表面を損傷することなく，編集領域を指定できることが望ましい。
従って，本発明は上述の課題を解決しうる画像形成装置の提供を目的とするものであり，原稿画像面がマーカー等による汚れを付けることなく，部分編集すべき領域を簡単に指定することのできる画像形成装置を提供しようとするものである。
【課題を解決するための手段】
【０００４】
上記目的を達成するために，本発明は，原稿の両面を読み込む両面読込手段と，部分編集処理の実行と，編集の内容とを指示する部分編集処理指示手段と，上記部分編集処理指示手段によって部分編集処理の実行が指示された時，上記両面読込手段によって読み込まれた裏面原稿の画像から，表面原稿についての部分編集すべき領域を判別し，判別された裏面の領域に対応する表面原稿の領域内の画像について前記部分編集処理手段によって指示された編集内容に従った画像編集を実行し，編集後の画像について出力処理を実行する部分編集実行出力手段と，を備えてなることを特徴とする画像形成装置として構成されている。
【０００５】
当該画像形成装置においては，前記部分編集実行出力手段が実行する出力処理が印刷処理である。
【０００６】
また，本発明における前記両面読込手段は，表面原稿を読み込む表面原稿読込センサと，裏面原稿を読み込む裏面原稿読込センサの２つのセンサを備えて構成されることも可能である。
【０００７】
さらに，前記両面読込手段を，１枚の原稿についての表面と裏面の両方を１つのセンサにより読み込む両面原稿読込センサを備えて構成してもよい。この場合,センサの数が減ることによるコストダウンが期待される。
【０００８】
また，前記部分編集実行手段が，実行する出力処理の内容を指示する出力内容指示手段を更に備えてなるように構成することで，印刷出力するのか，単にファイルを作成するような出力を選ぶかなど，種々の出力態様を選ぶことが出来，利便性が向上する。
【０００９】
前記部分編集実行出力手段が行う部分編集すべき領域の判別の方法として，マーカー領域の判別，所定のテープの貼付部分の判別，一重線或いは多重線といった罫線の判別などが考えられる。本発明はいずれの方法でも採用可能である。
【発明の効果】
【００１０】
上記したように本発明は，原稿の両面を読み込む両面読込手段と，部分編集処理の実行と，編集の内容とを指示する部分編集処理指示手段と，上記部分編集処理指示手段によって部分編集処理の実行が指示された時，上記両面読込手段によって読み込まれた裏面原稿の画像から，表面原稿についての部分編集すべき領域を判別し，判別された裏面の領域に対応する表面原稿の領域内の画像について前記部分編集処理手段によって指示された編集内容に従った画像編集を実行し，編集後の画像について出力処理を実行する部分編集実行出力手段と，を備えてなることを特徴とする画像形成装置として構成されているので，原稿の表面に部分編集領域をマーカーなどによって書き込む従来の部分編集機能を持った画像形成装置と異なり，多少汚れても良い原稿の裏面に部分編集領域の枠を書き込むものであるから，大事な原稿を汚さず，しかも自由に部分編集機能を用いることが出来るという顕著な長所を備えているものである。
【発明を実施するための最良の形態】
【００１１】
以下に本発明の実施形態を図面を参照して説明する。図１は，本発明の一実施形態に係る画像形成装置の部分編集機能を実行するための制御系統ブロック図であり，図２は，上記部分編集機能を実行するために制御部が行う制御手順の一例を示すフローチャート，図３は，上記部分編集機能を実行するために使われる原稿の一例を示す概念図，図４は，部分編集を行う任意範囲及び部分編集の内容を選択するためのボタンを表示した操作画面の一例を示す図，図５は，部分編集の内容を説明的に示す概念図，図６は，部分編集後の画像の一例を示す概念図である。
この実施形態にかかる画像形性装置は，例えば複写機により構成されており，その制御部１００は，図１に示すように中央処理ユニットＣＰＵを中心に構成され，このＣＰＵの入力部には表面原稿画像を読み込む表面画像読み込みセンサ（以下,表面センサという）１０１と，裏面原稿画像を読み込む裏面画像読み込みセンサ（以下,裏面センサという）１０２と，上記ＣＰＵからの種々の情報を表示したり，ＣＰＵにユーザからの情報を入力するタッチパネルなどからなる表示操作部１０３が接続されている。
また上記ＣＰＵの出力部には，原稿トレイなどの原稿供給部から供給された原稿を上記裏面センサ１０１による読み取り位置を経て，上記表面センサ１０２による読み取り位置に搬送し，その後原稿排出部に排出する原稿搬送部１０４が接続されている。
上記表面センサ１０１，裏面センサ１０２，表示操作部１０３及び原稿搬送部１０４は，いずれも画像形成装置において周知の構成要素であるので，その詳細についての説明はここでは省略される。
【００１２】
次に，図２に示したフローチャート及び図３以降の図を参照して，本発明の一実施形態にかかる部分編集処理の処理手順について，上記ＣＰＵが実行する処理を中心として説明する。以下の説明中，Ｓ１，Ｓ２，…は処理手順（ステップ）の番号を示す。
この実施形態の概要としては，ユーザが，原稿の裏面にサインペンや蛍光ペンなどのマーカーによる枠の書き込み，テープの貼り付け，或いは２重線他の罫線の書き込みなどによって部分編集を行う領域を指定した原稿を画像形成装置に供給し，画像形成装置側では，上記マーカーなどによる領域指定がされた原稿の両面を読み込み，裏面画像からマーカーなどで指定された部分編集領域を読み取って，その領域に対応する表面原稿側の領域に予めユーザによって指定された編集処理を施して出力するというものである。
マーカー領域が裏面に指定された原稿の一例が，図３に示されている。図３において，（ａ）は原稿表面の画像であり，（ｂ）は，裏面の画像である。
以下，処理について詳しく説明する。
【００１３】
画像形成装置の電源が投入されると，種々の必要処理の後に前記表示操作部１０３に設けられたコピースタートボタンが押されたか否かが判断される（Ｓ１）。
この実施形態では，上記のように供給される原稿として，ユーザが原稿の裏面に部分編集する領域を何らかの方法で囲む印をつけておくことが前提である。この実施形態としては，マーカーを用いて，部分編集領域を枠で囲む場合について説明する。
上記コピースタートボタンのオン・オフ信号はＣＰＵに伝達されており，ＣＰＵはコピースタートボタンが押されたと判断した場合（Ｓ１でＹＥＳ），更に上記表示操作部１０３に設けられた部分編集ボタンが押された状態か否かを判断する（Ｓ２）。
上記部分編集ボタンのオン・オフ信号はＣＰＵに伝達されており，ＣＰＵは部分編集ボタンが押されたと判断した場合（Ｓ２でＹＥＳ），原稿供給部に載置された原稿を前記原稿搬送部１０４を駆動して原稿読み取り部に搬送する。
この実施形態では，原稿読み取り部が１箇所であり，前記表面センサ１０１と裏面センサ１０２とが対向して設けられ，両センサの間を原稿が通過することで，原稿の表面と裏面とは同時に或いは若干の時間差を設けて読み取られる（Ｓ３）場合を想定している。
もちろん，表面センサ１０１による読み取り部と，裏面センサ１０２による読み取り部とが，離れた位置にあって，原稿の表面と裏面とが順次読み取られるものであっても，或いは，表面センサ１０１と裏面センサ１０２とが兼用されており，表面センサ１０１によって表面が読み取られた原稿が，原稿搬送部１０４によって搬送される途中で表裏面が反転され，同じセンサによって表面と裏面とが順次読み取られるものであってもよい。この場合，表面センサと裏面センサは兼用されていることになる。
【００１４】
次に，ＣＰＵは，上記裏面センサ１０２により読み込まれた裏面画像からマーカーで囲まれた領域の座標を検出する。
マーカーで囲まれた領域を抽出する処理自体は周知である。これは多くの場合，例えば蛍光ペンで塗られた部分の濃度やサインペンで塗られた部分の画像濃度は，通常の文字領域における文字や白色の地の部分の濃度とは異なる所定範囲の濃度からなる中間色であるので，この中間色の濃度の画像データの濃度範囲を規定する閾値を設定しておき，読み取りラインごとに上記閾値の範囲に入る濃度の画素を抽出すると共に，マーカーの場合には，ある程度の太さの領域にまたがることが特性であるので，上記のような中間色の画素が所定個数以上連続した領域が検出された場合に，その領域をマーカーの領域と判断するものが主として採用されうる。
このようなマーカー領域の判断を行うものに，前記した特許文献１に記載の技術があるので，参照されたい。
【００１５】
裏面原稿におけるマーカーで囲まれた領域の座標が検出されると，ＣＰＵは，この裏面の座標を表面の座標に変換することで，表面における部分編集すべき領域の座標を得る（Ｓ４）。
上記原稿の表面についての部分編集領域の座標を取得すると，ＣＰＵは，次に上記マーカーで示された部分編集領域の画像を前記表示操作部１０３に表示する。これによって，ユーザは自分が指定した通りの画像であるかをチェックすることが出来る。
このような画像の領域座標とそれに対応する画像との関係は，画像を記憶するビットマップメモリが縦横の画素を備えていることから，容易に検出すること或いは指定することができる。
また同時に，ＣＰＵは，上記表示操作部１０３に，処理可能な部分編集の種類をリスト表示する（Ｓ５）。
図４は，上記のような部分編集領域の画像（ａ）と可能な部分編集の種類のリスト（ｂ）を一緒に表示した画面の一例である。ここでは文字強調（領域内の文字の色や輝度，濃度などを他の文字と異なったものに変更する処理）と範囲内強調（指定された範囲の画像全体の色などについてその周りの画像の色などと異なったものに変更する処理）の２つが選択可能となっている。
ユーザは，この画面で上記部分編集の種類のリストのうちの１つについて選択操作を行う。選択情報は，当然ながらＣＰＵに伝達される。
部分編集の種類が選択されると，ＣＰＵによってマーカー領域内の画像についての編集後の画像を表示操作部１０３に表示するようにしても良い。
図５は，このような編集後の画像と，選択された部分編集の種類とを並べて表示した画面例である。（ａ）は，選択範囲の文字を強調する編集内容を選択した場合の画像を，また（ｂ）は，範囲内強調を選択した場合の画像を，それぞれ示している。
【００１６】
ＣＰＵは，上記のように部分編集領域の画像と可能な部分編集の種類のリストとを一緒に表示しつつ，上記表示操作部に表示された印刷ボタンＰＢが押されるのを待つ（Ｓ６でＮＯ）。
やがて印刷ボタンＰＢが押下されたことによる信号はＣＰＵに伝えられ，この信号を受ける（Ｓ６でＹＥＳ）と，ＣＰＵは，上記マーカーで指定された領域の画像について選択された種類の編集処理を実行する（Ｓ７）。
最後にＣＰＵは，上記編集された部分と，編集処理から外れた部分とを合成して１枚の画像を作成し，この合成画像についての出力処理の一例としての印刷処理を実行する。
その結果，印刷された後の画像の一例が，図６に表示されている。
（ａ）は，文字強調の編集を選んだ場合，（ｂ）は，範囲内強調の編集を選んだ場合である。
【実施例】
【００１７】
上の実施形態では，２つの原稿読み込みセンサを用いて原稿の表面と裏面を同時または順次読み込む場合について説明されているが，本発明では，これに限定されることなく，例えば，１枚の原稿についての表面と裏面の両方を１つのセンサにより読み込むようにしてもよい。この場合，上記センサで片面を読み込んだ後，原稿を搬送し，その搬送途中で原稿の表裏を反転させて再度上記センサに原稿を供給することで原稿の表裏面が順次読み込まれる。このような，１つのセンサによって原稿の表裏を読み込むように構成すれば，原稿読み込みのためのセンサの数を減らすことが出来，コストダウンに寄与することになる。
【００１８】
また，前記実施形態では，実行する出力処理の内容については事前に定められていることを前提としているが，部分編集ボタンを押す時，部分編集の種類を選択する時，その他種々の時点で指定することも可能である。
処理の種類としては，前記実施形態のように印刷をする場合が典型であるが，ファイルを作成して保存しておくということもありうるし，また，部分編集した領域のみを印刷出力するなどの態様もありうる。本発明にはその他種々の態様が含まれ得る。
このような出力内容を指示する手段が，本発明における出力内容指示手段の一例である。
上記のように種々の出力態様を選ぶことが出来れば，画像形成装置の利便性が向上する。
更に，前記実施形態では，前記部分編集実行出力手段が行う部分編集すべき領域の判別の方法として，マーカー領域の判別が採用されたが，所定のテープの貼付部分の判別などでもよく，マーカーやテープといった特殊な部材を使うことによる不便を解消する場合には，多重線の判別などが考えられる。多重線の典型としては一重線，二重線などの罫線が考えられるが，このような罫線判別処理は，例えば，特開２００１‐２０３８７６号公報などにおいても周知であるので,これを利用することが出来る。
【産業上の利用可能性】
【００１９】
以上述べたところから明らかなように，本発明は，複写機，プリンター，ファクシミリなどの画像形成装置に用いて好適である。
【図面の簡単な説明】
【００２０】
【図１】本発明の一実施形態に係る画像形成装置の部分編集機能を実行するための制御系統ブロック図。
【図２】本発明の一実施形態に係る画像形成装置の部分編集機能を実行するために制御部が行う制御手順の一例を示すフローチャート。
【図３】本発明の一実施形態に係る画像形成装置の部分編集機能を実行するために使われる原稿の一例を示す概念図。
【図４】部分編集を行う任意範囲及び部分編集の内容を選択するためのボタンを表示した操作画面の一例を示す図。
【図５】部分編集の内容を説明的に示す概念図。
【図６】部分編集後の画像の一例を示す概念図。
【符号の説明】
【００２１】
１００…制御部
１０１…表面センサ
１０２…裏面センサ
１０３…表示操作部
１０４…原稿搬送部
【図１】
2008166985.tif 000003
【図２】
2008166985.tif 000004
【図３】
2008166985.tif 000005
【図４】
2008166985.tif 000006
【図５】
2008166985.tif 000007
【図６】
2008166985.tif 000008